(57)【要約】      （修正有）【課題】サンダルや雪駄、下駄等のような鼻緒のある履き物を着用した際、素足の皮膚をサンダルの摩擦から守り、靴擦れを防ぎ、且つ鼻緒部位にかざり等を付けることによりスタイリッシュに見える。【解決手段】  サンダルや雪駄、下駄等の鼻緒に沿った形の靴下を履くことにより、皮膚をまもり、レース等を施すことにより、靴下がサンダルの鼻緒から見えても良いものとする。【選択図】図２
2007063733.tif 000002
【特許請求の範囲】
【請求項１】
靴下がビーチサンダル類の鼻緒を包むように親指と人差し指の付け根をＵ字型、又はＯ字型、又は６字型に裁断し、６字型においては、布が重なる部分に衣服などに用いる着脱自在の布製のテープを付け鼻緒に固定できるようにした、又はＵ字部分にシリコンのような柔らかいプラスチック類を付け鼻緒に装着できるようにし、且つ足の甲部分をサンダル、ビーチサンダル、下駄又は雪駄の足の甲部分にくる靴下が鼻緒に沿うよう直接足の甲に肌が触れるのを防ぐよう裁断し、サンダルと皮膚に接触する両面若しくは片面に滑り止めを数箇所付け、さらに必要のない踵部分をなくし足裏部分の生地は半分のみ残し、足裏のサンダル接触面に滑り止めを数箇所付けた、又は足の裏部分をすべて取り除き、固定するため靴下の鼻緒部分の皮膚接触面とサンダル等の鼻緒接触面両面若しくは片面に滑り止めを数箇所つけ、さらに鼻緒末端部分の靴底と接する部分辺りに、靴下に付けた紐をリボン状に結んだ、又は靴下に付けたボタン紐の先に付けたボタンをはめずれにくくした、以上のことを特徴とする靴下。
【請求項２】
サンダル等に沿った形に裁断された靴下を履いた場合、靴下の鼻緒部分の中央よりやや下に両脇から紐を付けサンダルの鼻緒部分に結んで固定し、更にリボンを付けているようにした、又は靴下の鼻緒部分に靴下からややはみ出す程度に上からレースを重ね上から中心を縫い、意図的にサンダルの鼻緒の下からレースが覗くようにした、又は鼻緒全体に、多彩な色で縦縞や横縞や波模様や凝った柄にした、又は色の上に丸型や星型や多角形や楕円形やハート型やキャラクター商品型や植物型や動物型の模様の滑り止めを付ける、または丸型や星型や多角形や楕円形やハート型やキャラクター商品型や植物型や動物型の模様をつけた、又は靴下の鼻緒の部分に蛍光塗料を塗った、又は靴下の鼻緒部分の両脇にビーズでかざりをつけた、又は靴下の鼻緒末端部分靴底と接する部分周辺にボタンをつけ鼻緒が動くのも防ぐ、又は靴下の鼻緒部分に文字を刺繍した、又は鼻緒全体を透明なシリコンで作り素足に近い状態に見せた、以上のことを特徴とする靴下。
【請求項３】
請求項１または請求項２記載の摩擦によって起こる足の痛みを和らげるためのサンダル用等の履物。
【発明の詳細な説明】
【技術分野】
【０００１】  本発明は、皮膚の弱い方、ヒールの高いビーチサンダルを靴擦れせず履きたい方、サンダル、ビーチサンダル、雪駄、下駄を履く際足があたり痛みもあるが見た目がきになるため素足で我慢する方に最も適合した靴下に関する技術分野である。
【背景技術】
【０００２】  女性において、足を長く、美しく見せる靴とは非常に魅力的なものである。その為以前からハイヒールのような見た目はよいが、機能性に欠ける靴の需要は現在でも極めて高い。しかし、足にとって無理な形状の物を履くのには多少の痛みや違和感が生じる。諸外国にビューティーイズペインという言葉があるように、美を追求するには何らかの犠牲を伴う場合が極めて多い。サンダルやビーチサンダルは踵が無い為容易に脱ぎ履きできるが、長い距離を歩くには不向きである。その理由にサンダル、ビーチサンダルの多くの鼻緒部分は硬いゴム、又は硬いひも状のもので作成されており皮膚との摩擦が生じた場合接触部に靴擦れが出来易い。更に、近年流行しているヒール付きのものにおいては前方にずれ易く親指と人差し指の付け根の負担と足の甲にあたる部分の摩擦が非常に大きい。その症状は平面的な従来のビーチサンダルより遥かに負担がかかるにも関わらず、現代人も履き易さより見た目重視思考が強く、履き難さと反比例するように売れている。足の甲部分のみを保護する滑り止め付きサポーター（例えば、特許文献１参照）や、足の指に沿った縫製を施してある靴下（例えば、特許文献２参照）、足の親指と人差し指の付けね部分に差し込み付け根を守るものも販売されているが、全ての箇所の痛みを補い且つ極力肌を露出し素足に見せる若しくは、履いていても不自然ではないものがない。ヌードソックス（例えば、特許文献３参照）は極力布を減らした構造だがサンダルを履いた場合は布の露出が大きい。痛みを避けるため絆創膏等を予め貼る方法も見受けるが、見た目が悪く更に汗に弱い。更に親指と人差し指の付け根を保護するのは非常に困難である。指の付け根と足の甲全体の両方を同時に且つ美しくカバーできるものが存在しない。
【特許文献１】  特開２００５−１０５５０４号公報
【特許文献２】  特開２００２−２７００３号公報
【特許文献３】  特開２００４−５３０８０４号公報
【発明の開示】
【発明が解決しようとする課題】
【０００３】  足の甲、又は親指と人差し指の付け根と鼻緒の接触部分の靴擦れ、まめを出来にくくし、摩擦で生じる痛みを軽減する。【０００４】  サンダルを履いた状態においての見た目を美しく見せる、又は素足の状態で履いているように見せる。【０００５】  靴を履いている状態で前方にずれにくくする。
【課題を解決するための手段】
【０００６】  足の甲側の鼻緒Ａ（図１参照）と重なるよう靴下の綿を裁断し直接硬い鼻緒が皮膚にふれるのを防ぐ。又、親指と人差し指の付け根部分にも靴下の綿を用い綿がずれ皮膚に鼻緒が接触しないよう広めに布を裁断し固定も出来るようＨ（図１参照）の末端部分に衣服などに用いる着脱自在の布製のテープを付ける、又はＬにＵ字のシリコンのような柔らかいプラスチック類をつける。【０００７】  サンダルの鼻緒部分の下から鼻緒の形に沿って裁断した靴下が見えた場合でも、見た目に違和感が無く、むしろ意図的に靴下を見せることによりお洒落とする、又は靴下の表面の鼻緒Ｊ（図１参照）に接触する部分と裏側の皮膚に接触する部分Ｋ（図１参照）に滑り止めをつけ、サンダルの鼻緒の裏面にも布が密着するようにし、素足の状態で履いているように見せる。【０００８】  靴下の裏面部分Ｇ（図１参照）に数箇所滑り止めをつけ（図１７参照）、前方へのずれを防止する。
【発明の効果】
【０００９】  素足で新しいサンダル、ヒールの高いビーチサンダル、又は鼻緒の固い物やゴム製のものを履くと直接肌に接触する部分に摩擦が起こり痛みを感じる、若しくはその部分に炎症を起こす場合があるが、直接鼻緒に接触する部分に靴下の綿をあてる事により、痛み、炎症を緩和、又は予防することが可能になる。【００１０】  鼻緒の下にあたる部分の靴下の柄等を色柄良くすることなどにより、鼻緒から多少見えた場合でもお洒落としてみなす事が可能である。【００１１】  特にヒールのあるサンダルを履く場合において、足が前方に滑りやすく、ヒール付きビーチサンダルにいたっては親指と人指し指の付け根に鼻緒がくい込む形となり、見た目よりも非常に履きにくいが、足裏部分のサンダルに触れる側の靴下の底面部分数箇所に滑り止めをつけることにより、足全体が前方に滑りにくくし足への負担を和らげる効果がある。
【発明の実施するための最良の形態】
【００１２】  発明の実施するための最良の形態を図面を参照して説明する。
図２において、伸縮性の高いやや厚手の靴下、又は一般的な靴下をビーチサンダル型Ｊ１、サンダル型、雪駄型、下駄型に裁断し、又は細めの毛糸で編み、踵の部分を大きく取り除き（図１０参照）、又は足裏の部分全体を省き（図１１参照）端を解れないよう纏る、以上のことを特徴とする靴下である。
【００１３】  図３において、親指と人差し指の付け根の最も摩擦が起こり易い部分の靴下の布地部分を、サンダルの鼻緒に沿う形でＵ字型に形成されＬ１皮膚を守るように裁断された、又は図４において、親指と人差し指の付け根の最も摩擦が起こり易い部分の靴下の布地部分を数字の６のようにやや長めに裁断し、余った部分を鼻緒に巻きつけ、ずれないよう着脱自在の布製のテープ等を付け固定したＬ２、又は図５において、図３にさらにＵ字のシリコンのような柔らかいプラスチック類をつけＬ３、靴の鼻緒部分にはさめるようにした、又は図６において、靴の鼻緒全体を覆うようにＯ字型にしたＬ４、以上のことを特徴とした靴下である。
【００１４】  図７において、親指と一指し指の付け根から逆ホームベース型状Ｊ２、若しくはそれよりやや狭い範囲で足の甲全体を保護し、このような形のサンダルに合うよう裁断された、以上のことを特徴とする靴下である。
【００１５】  図８において、親指と人差し指の付けね根から、親指付け根の周囲を一周するのみの形状Ｊ３のサンダルに合うよう裁断された、以上のことを特徴とした靴下である。
【００１６】  図９において、親指と人差し指の付け根から鼻緒が両側に２本ずつ伸びている形状Ｊ４のサンダルに合うよう裁断された、以上のことを特徴とした靴下である。
【００１７】  図１０において、足裏側部分の靴下の、指、踵両部分の布を省きＧ１、歩行中踵がサンダルから離れた状態においても、極力布が露出するのを防ぐ、以上のことを特徴とする靴下である。
【００１８】  図１１において、足裏部分の靴下の、ほぼ全体を省き、足の甲部分にある鼻緒の末端を靴下に付けた紐で結ぶことにより固定したＧ２、以上のことを特徴とする靴下である。
【００１９】  図１２においては、ビーチサンダル型のサンダル接触面Ｊ１において、サンダル側に靴下が密着し安定度を高めるため、表面に数箇所丸い滑り止めを施した、以上のことを特徴とする靴下である。
【００２０】  図１３においては、足の甲を覆うサンダル型靴下Ｊ２の、サンダル接触面において、サンダル側に靴下が密着し安定度を高めるため、表面に数箇所丸い滑り止めを施した、以上のことを特徴とする靴下である。
【００２１】  図１４においては、図１２の靴下表面の裏側にあたる部分の皮膚接触面側Ｋ１で、表面同様安定度を高め靴下が肌からずれにくくするため数箇所滑り止めを施した、以上のことを特徴とする靴下である。
【００２２】  図１５においては、図１３の靴下表面の裏側にあたる部分の皮膚接触面側Ｋ２で、表面同様安定度を高め靴下が肌からずれにくくするため数箇所滑り止めを施した、以上のことを特徴とする靴下である。
【００２３】  図１６においては、図１のＦに該当する部分の、足の裏側皮膚接触面Ｇに該当する場所で、滑り止めを施していない部分である。
【００２４】  図１７においては、図１のＧに該当する部分のサンダル接触面で、サンダル接触面側に数箇所の滑り止めを施したＧ３前方へのずれを最小限に抑える、以上のことを特徴とした靴下である。
【００２５】  図１８において、足裏部分の皮膚接触面のあるものとないもの両方に共通する鼻緒の状態で、図１、Ｈ部分の鼻緒の両端に紐を縫い付けることによりＪ５、それをリボン状に結び靴下全体が前方に動くのを防ぎ、且つ見た目も損なわない、以上のことを特徴とした靴下である。
【００２６】  図１９において、足裏部分の皮膚接触面のあるものとないもの両方に共通する鼻緒の状態で、図１、Ｈ部分に紐を縫い付けた先端に固定用スナップをつけることによりＪ６、靴下全体が前方に動くのを防ぎ、さらに取り外しも速やかに行える、以上のことを特徴とする靴下である。
【００２７】  図２０において、靴下の鼻緒部分のどちらか片方、若しくは両方の適当な場所に糸で細いリボンを縫いつけ、サンダルの鼻緒部分に結び、ずれを防げるよう、且つ見た目にもお洒落に見えるようにした、以上のことを特徴とする靴下。図２１は図２０の紐を結んだ状態である。
【００２８】  図２２において、靴下の鼻緒全部分に靴下が覆い隠れるようレースをおき、中心部分を縫いつけたＪ９、サンダルを履いた場合、鼻緒から靴下が見えた場合でもレースが靴下を覆い、レース面が露出するため見た目にも違和感が無く、お洒落を楽しめるデザインにした、以上のことを特徴とする靴下である。
【００２９】  図２３において、仮に靴下が鼻緒からずれて見えたとしても、靴下に女性が好む柄を施すことによってお洒落を楽しめる、以上のことを特徴とする靴下である。
【００３０】  図２４において、図２２同様、仮に靴下が鼻緒からずれて見えたとしても、ビーズの装飾を靴下の脇に沿ってつけることによりＪ１１、あえて靴下を見せることを目的としたお洒落を楽しめる、以上のことを特徴とする靴下である。
【００３１】  図２５において、鼻緒が透明のゴムで出来ているサンダル等を履いた場合、下の靴下が透けて見えるので、蛍光塗料を靴下表面に塗布することによりＪ１２、暗い場所でも光るようにした、以上のことを特徴とする靴下である。
【００３２】  図２６において、靴下の鼻緒部分に様々な文字を刺繍することによりＪ１３、靴下を履くことを楽しむ、以上のことを特徴とする靴下である。
【００３３】  図２７において、綿等の生地の代わりに透明のシリコンのような柔らかいプラスチック類のみを使用しＪ１４、完全に素肌感覚で着用できる、以上のことを特徴とした靴下である。
【産業上の利用可能性】
【００３４】  本発明は、サンダル、ビーチサンダル、ヒール付きビーチサンダル、下駄、雪駄等を着用した場合、摩擦によりおこる指の付け根と足の甲のサンダルとの接触部分にかかる負担（痛み、靴擦れ、まめ）を最小限に抑え、且つ見た目も損なわず、むしろファッションとして取り入れられるよう柄、リボン、ホック、レース、ビーズ、又は刺繍を施し違和感なく着用できる。
【図面の簡単な説明】
【００３５】
【図１】実施の形態の説明に供し、サンダルとサンダル用靴下の全体図である。
【図２】実施の形態の説明に供し、ビーチサンダル用靴下を履いた状態での正面図である。
【図３】実施の形態の説明に供し、ビーチサンダル用靴下Ｊ１を履いた状態での足の甲部分と、親指と人差し指の間を拡大した状態で付け根部分の形の違うＵ字Ｌ１の場合である。
【図４】実施の形態の説明に供し、鼻緒根元部分を数字の６のように一周して更に布がややあまった部分に衣服などの用いる着脱自在の布製のテープ付けた場合Ｌ２である。
【図５】実施の形態の説明に供し、鼻緒根元部分をＵ字型に更にシリコンのような柔かいプラスチック類をつけた場合Ｌ３である。
【図６】実施の形態の説明に供し、鼻緒根元部分をＯ字型にしＬ４、先を一箇所裁断した場合の図である。
【図７】実施の形態の説明に供し、足の甲全体を覆うサンダル用靴下Ｊ２の足甲部分の図である。
【図８】実施の形態の説明に供し、親指のみに鼻緒がかかる場合Ｊ３の図である。
【図９】実施の形態の説明に供し、鼻緒が２本ずつ付け根から伸びている場合Ｊ４の図である。
【図１０】実施の形態の説明に供し、靴下の足裏側の形状で指と踵部分を省いた物Ｇ１の図である。
【図１１】実施の形態の説明に供し、靴下の足裏側の形状で裏側の生地のないものＧ２の図である。
【図１２】実施の形態の説明に供し、靴下の鼻緒表面鼻緒接触部分に滑り止めを施した場合の図である。
【図１３】実施の形態の説明に供し、足の甲全体を覆うサンダルのサンダル接触面Ｊ２に滑り止めを施した場合の図である。
【図１４】実施の形態の説明に供し、図１、Ｋにあたる皮膚接触面に、滑り止めを施した図である。
【図１５】実施の形態の説明に供し、足の甲全体を覆うサンダルの図１、Ｋ部分にあたる皮膚接触面に滑り止めを施した図である。
【図１６】実施の形態の説明に供し、図１、Ｆにあたる部分で滑り止めがない場合である。
【図１７】実施の形態の説明に供し、図１、Ｇにあたる部分で滑り止めがある場合である。
【図１８】実施の形態の説明に供し、靴下鼻緒の末端に紐をつけた図である。
【図１９】実施の形態の説明に供し、靴下鼻緒の末端に紐をつけその先にスナップをつけた図である。
【図２０】実施の形態の説明に供し、靴下の鼻緒片方に紐をつけたものの図である。
【図２１】実施の形態の説明に供し、靴下の鼻緒片方に紐をつけたものをリボン結びにした場合の図である。
【図２２】実施の形態の説明に供し、靴下鼻緒の部分にレースをおき、その中心をミシンで縫いつけた図である。
【図２３】実施の形態の説明に供し、靴下の鼻緒全体に柄を施した図である。
【図２４】実施の形態の説明に供し、靴下の鼻緒の周りにビーズを施した図である。
【図２５】実施の形態の説明に供し、靴下の鼻緒全体に蛍光塗料を塗布した場合の図である。
【図２６】実施の形態の説明に供し、靴下の鼻緒部分に文字を刺繍した図である。
【図２７】実施の形態の説明に供し、靴下の生地の代用で透明のシリコンのような柔かいプラスチック類を使用した図である。
【符号の説明】
【００３６】Ａ：サンダルの鼻緒全体である。  Ｂ：サンダルの指の間付け根部分である。
Ｃ：サンダル鼻緒の足甲部分の上側である。
Ｄ：サンダル鼻緒の足甲部分の皮膚接触側（下側）である。
Ｅ：サンダル鼻緒の末端部分、底接触部分である。  Ｆ：靴下の底面皮膚接触側である。
Ｇ：靴下の底面サンダル接触側である。
Ｇ１：足裏部分の靴下の、指、踵部分の布を省いた靴下の底面サンダル接触側である。
Ｇ２：足裏部分の靴下の、ほぼ全体を省き、足の甲部分にある鼻緒の末端を靴下につけた紐で結ぶ形の靴下の底面サンダル部分である。
Ｇ３：Ｇ１に滑り止めをつけた靴下の底面サンダル接触側である。
Ｈ：靴下の底面と鼻緒末端の接触部分である。
Ｊ：靴下の鼻緒上面である。
Ｊ１：一般的なビーチサンダル型に合うよう作成された靴下の鼻緒上面である。
Ｊ２：親指と人差し指の付け根から逆ホームベース型に作成された靴下の鼻緒上面である。
Ｊ３：親指と人差し指の付け根から、親指付け根の周囲を一周するのみの形状の靴下の鼻緒上面。
Ｊ４：親指と人差し指の付け根から鼻緒が両側に２本ずつ伸びている形状の靴下の鼻緒上面である。
Ｊ５：Ｊ１に図１、Ｈ部分の鼻緒の両端に紐を縫いつけた靴下の鼻緒上面である。
Ｊ６：Ｊ１に図１、Ｈ部分の鼻緒の両端に紐を縫いつけた先端に固定用スナップをつけた靴下の鼻緒上面である。
Ｊ７：Ｊ１に靴下の鼻緒部分のどちらか片方、若しくは両方の適当な場所に糸で細いリボンを縫いつけた靴下の鼻緒上面である。
Ｊ８：Ｊ７のリボンを結んだ状態の靴下の鼻緒上面である。
Ｊ９：Ｊ１に靴下の鼻緒全部分に靴下が覆い隠れるようレースをおき、中心部分を縫いつけた靴下の鼻緒上面である。
Ｊ１０：Ｊ１に柄を施した靴下の鼻緒上面である。
Ｊ１１：Ｊ１にビーズの装飾を靴下の脇に沿ってつけた靴下の鼻緒上面である。
Ｊ１２：Ｊ１に蛍光塗料を靴下表面に塗布した靴下の鼻緒上面である。
Ｊ１３：Ｊ１表面に様々な文字を刺繍した靴下の鼻緒上面である。
Ｊ１４：Ｊ１に綿等の生地の替わりに透明のシリコンのような柔かいプラスチック類のみを使用した靴下の鼻緒上面である。
Ｋ：靴下の鼻緒下面皮膚接触部分である。
Ｋ１：Ｊ１の靴下の鼻緒下面皮膚接触部分に滑り止めを付けたものである。
Ｋ２：Ｊ２の靴下の鼻緒下面皮膚接触部分に滑り止めを付けたものである。
Ｌ：靴下の鼻緒付け根Ｕ字部分である。
Ｌ１：Ｕ字型に形成された靴下の鼻緒付け根Ｕ字部分である。
Ｌ２：数字の６型に形成され重なる部分に衣類などに用いる着脱自在の布製のテープを付けた靴下の鼻緒付け根Ｕ字部分である。
Ｌ３：Ｕ字型に形成された靴下の内側に更にＵ字のシリコンのような柔かいプラスチック類をつけた靴下の鼻緒付け根Ｕ字部分である。
Ｌ４：靴の鼻緒全体を覆うようにＯ字型にした靴下の鼻緒付け根Ｕ字部分である。
Ｚ：サンダルの底である。
【図１】
2007063733.tif 000003
【図２】
2007063733.tif 000004
【図３】
2007063733.tif 000005
【図４】
2007063733.tif 000006
【図５】
2007063733.tif 000007
【図６】
2007063733.tif 000008
【図７】
2007063733.tif 000009
【図８】
2007063733.tif 000010
【図９】
2007063733.tif 000011
【図１０】
2007063733.tif 000012
【図１１】
2007063733.tif 000013
【図１２】
2007063733.tif 000014
【図１３】
2007063733.tif 000015
【図１４】
2007063733.tif 000016
【図１５】
2007063733.tif 000017
【図１６】
2007063733.tif 000018
【図１７】
2007063733.tif 000019
【図１８】
2007063733.tif 000020
【図１９】
2007063733.tif 000021
【図２０】
2007063733.tif 000022
【図２１】
2007063733.tif 000023
【図２２】
2007063733.tif 000024
【図２３】
2007063733.tif 000025
【図２４】
2007063733.tif 000026
【図２５】
2007063733.tif 000027
【図２６】
2007063733.tif 000028
【図２７】
2007063733.tif 000029
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
鼻緒部を有する履物用の靴下であって、親指と人差し指の付け根部分を鼻緒に沿うＵ字型形状とし、履物の鼻緒が足に直接触れるのを防ぐように、足の甲側において靴下の生地が鼻緒と重なる形状とされ、該甲側の靴下の生地の両面又は片面に滑り止めを設け、足裏部分は親指と人差し指の付け根部分から逆ホームベース形状として踵部分の布を省いた形状とした、以上のことを特徴とする靴下。
【請求項２】
親指と人差し指の付け根部分の形状を、Ｕ字型から長めに延長した部分を有する形状とし、該延長した部分を鼻緒に巻き付け、鼻緒の付け根全体を覆うようにしたことを特徴とする請求項１に記載の靴下。
【請求項３】
親指と人差し指の付け根部分において、Ｕ字型の生地の鼻緒側にＵ字型のプラスチックを設け、該プラスチックで鼻緒をはさめるようにしたことを特徴とする請求項１に記載の靴下。
【請求項４】
甲側における靴下の生地の形状を、履物の鼻緒よりもはみだす部分を有する形状とし、甲側における靴下の生地全体又は上記はみだす部分の生地に、リボン、レース、ビーズ、蛍光塗料の塗布、刺繍、又は色柄を施すことにより装飾を施すことを特徴とする請求項１に記載の靴下。
【請求項５】
甲側における靴下の生地部分を、透明なシリコンで形成し、素足に近い状態に見せることを特徴とする請求項１に記載の靴下。
【手続補正２】
【補正対象書類名】明細書
【補正対象項目名】全文
【補正方法】変更
【補正の内容】
【発明の詳細な説明】
【技術分野】
【０００１】  本発明は、皮膚の弱い方、ヒールの高いビーチサンダルを靴擦れせず履きたい方、サンダル、ビーチサンダル、雪駄、下駄を履く際足があたり痛みもあるが見た目がきになるため素足で我慢する方に最も適合した靴下に関する技術分野である。
【背景技術】
【０００２】  女性において、足を長く、美しく見せる靴とは非常に魅力的なものである。その為以前からハイヒールのような見た目はよいが、機能性に欠ける靴の需要は現在でも極めて高い。しかし、足にとって無理な形状の物を履くのには多少の痛みや違和感が生じる。諸外国にビューティーイズペインという言葉があるように、美を追求するには何らかの犠牲を伴う場合が極めて多い。サンダルやビーチサンダルは踵が無い為容易に脱ぎ履きできるが、長い距離を歩くには不向きである。その理由にサンダル、ビーチサンダルの多くの鼻緒部分は硬いゴム、又は硬いひも状のもので作成されており皮膚との摩擦が生じた場合接触部に靴擦れが出来易い。更に、近年流行しているヒール付きのものにおいては前方にずれ易く親指と人差し指の付け根の負担と足の甲にあたる部分の摩擦が非常に大きい。その症状は平面的な従来のビーチサンダルより遥かに負担がかかるにも関わらず、現代人も履き易さより見た目重視思考が強く、履き難さと反比例するように売れている。足の甲部分のみを保護する滑り止め付きサポーター（例えば、特許文献１参照）や、足の指に沿った縫製を施してある靴下（例えば、特許文献２参照）、足の親指と人差し指の付けね部分に差し込み付け根を守るものも販売されているが、全ての箇所の痛みを補い且つ極力肌を露出し素足に見せる若しくは、履いていても不自然ではないものがない。ヌードソックス（例えば、特許文献３参照）は極力布を減らした構造だがサンダルを履いた場合は布の露出が大きい。痛みを避けるため絆創膏等を予め貼る方法も見受けるが、見た目が悪く更に汗に弱い。更に親指と人差し指の付け根を保護するのは非常に困難である。指の付け根と足の甲全体の両方を同時に且つ美しくカバーできるものが存在しない。
【特許文献１】  特開２００５−１０５５０４号公報
【特許文献２】  特開２００２−２７００３号公報
【特許文献３】  特開２００４−５３０８０４号公報
【発明の開示】
【発明が解決しようとする課題】
【０００３】  足の甲、又は親指と人差し指の付け根と鼻緒の接触部分の靴擦れ、まめを出来にくくし、摩擦で生じる痛みを軽減する。【０００４】  サンダルを履いた状態においての見た目を美しく見せる、又は素足の状態で履いているように見せる。【０００５】  靴を履いている状態で前方にずれにくくする。
【課題を解決するための手段】
【０００６】  鼻緒部を有する履物用の靴下であって、親指と人差し指の付け根部分を鼻緒に沿うＵ字型形状とし、履物の鼻緒が足に直接触れるのを防ぐように、足の甲側において靴下の生地が鼻緒と重なる形状とされ、該甲側の靴下の生地の両面又は片面に滑り止めを設け、足裏部分は親指と人差し指の付け根部分から逆ホームベース状として踵部分の布を省いた形状の靴下である、また、親指と人差し指の付け根部分の形状をＵ字型から長めに延長した部分を有する形状とし、該延長した部分を鼻緒に巻き付け鼻緒の付け根全体を覆うようにすることが好ましい、更に親指と人差し指の付け根部分においてＵ字型の生地の鼻緒側にＵ字型のプラスチックを設け、該プラスチックで鼻緒をはさめるようにしてもよい。【０００７】  サンダルの鼻緒部分の下から鼻緒の形に沿った形状とした靴下が見えた場合でも、見た目に違和感が無く、むしろ意図的に靴下を見せることによりお洒落とする為、甲側における生地の形状を、履物の鼻緒よりもはみだす部分を有する形状とし、甲側における靴下の生地全体又は上記はみだす部分の生地に、リボン、レース、ビーズ、蛍光塗料の塗布、刺繍、又は色柄を施すことにより装飾を施すと好ましい、更に甲側における靴下の生地部分を、透明なシリコンで形成し、素足に近い状態に見せることも好ましい。
【発明の効果】
【０００８】  素足で新しいサンダル、ヒールの高いビーチサンダル、又は鼻緒の固い物やゴム製のものを履くと直接肌に接触する部分に摩擦が起こり痛みを感じる、若しくはその部分に炎症を起こす場合があるが、直接鼻緒に接触する部分に靴下の生地をあてる事により、痛み、炎症を緩和、又は予防することが可能になる。【０００９】  鼻緒の下にあたる部分の靴下の柄等を色柄良くすることなどにより、鼻緒から多少見えた場合でもお洒落としてみなす事が可能である。
【発明の実施するための最良の形態】
【００１０】  発明の実施するための最良の形態を図面を参照して説明する。
図２において、一般的な靴下に用いられる生地を一般的なビーチサンダル型に合うよう甲側における靴下の生地をサンダル型形状にした、以上のことを特徴とする靴下である。
【００１１】  図３において、親指と人差し指の付け根の最も摩擦が起こり易い部分の靴下の布地部分を、サンダルの鼻緒に沿う形でＵ字型形状とし皮膚を保護した、又は図４において、親指と人差し指の付け根の最も摩擦が起こり易い部分の靴下の布地部分を数字の６のようにやや長めに裁断し、余った部分を鼻緒に巻きつけ、ずれないよう着脱自在の布製のテープ等を付け固定したＬ２、又は図５において、図３にさらにＵ字のシリコンのような柔らかいプラスチック類をつけＬ３、靴の鼻緒部分にはさめるようにした、又は図６において、靴の鼻緒全体を覆うようにＯ字型にしたＬ４、以上のことを特徴とした靴下である。
【００１２】  図９において、親指と人差し指の付け根から鼻緒が両側に２本ずつ伸びている形状Ｊ４のサンダルに合うよう裁断された、以上のことを特徴とした靴下である。
【００１３】  図１０において、足裏部分は親指と人差し指の付け根部分から逆ホームベース形状として踵の部分の布を省いた形状とし、歩行中踵がサンダルから離れた状態においても、極力布が露出するのを防ぐ、以上のことを特徴とする靴下である。
【００１４】  図１２においては、ビーチサンダル型のサンダル接触面Ｊ１において、サンダル側に靴下が密着し安定度を高めるため、表面に数箇所丸い滑り止めを施した、以上のことを特徴とする靴下である。
【００１５】  図１４においては、図１２の靴下表面の裏側にあたる部分の皮膚接触面側Ｋ１で、表面同様安定度を高め靴下が肌からずれにくくするため数箇所滑り止めを施した、以上のことを特徴とする靴下である。
【００１６】  図２１において、甲側における靴下の生地をサンダル型形状にした物のどちらか片方、若しくは両方の適当な場所にリボンを縫いつけサンダルの鼻緒部分と固定できるようにし、且つお洒落に見えるようにした、以上のことを特徴とする靴下である。
【００１７】  図２２において、甲側における靴下の生地をサンダル型形状にした全部分に靴下が覆い隠れるようレースをおき、中心部分を縫いつけたＪ９、サンダルを履いた場合、鼻緒から靴下が見えた場合でもレースが靴下を覆い、レース面が露出するため見た目にも違和感が無く、お洒落を楽しめるデザインにした、以上のことを特徴とする靴下である。
【００１８】  図２３において、仮に靴下が鼻緒からずれて見えたとしても、靴下に女性が好む柄を施すことによってお洒落を楽しめる、以上のことを特徴とする靴下である。
【００１９】  図２４において、図２２同様、仮に靴下が鼻緒からずれて見えたとしても、ビーズの装飾を靴下の脇に沿ってつけることによりＪ１１、あえて靴下を見せることを目的としたお洒落を楽しめる、以上のことを特徴とする靴下である。
【００２０】  図２５において、鼻緒が透明のゴムで出来ているサンダル等を履いた場合、下の靴下が透けて見えるので、蛍光塗料を靴下表面に塗布することによりＪ１２、暗い場所でも光るようにした、以上のことを特徴とする靴下である。
【００２１】  図２６において、靴下の鼻緒部分に様々な文字を刺繍することによりＪ１３、靴下を履くことを楽しむ、以上のことを特徴とする靴下である。
【００２２】  図２７において、綿等の生地の代わりに透明のシリコンのような耳たぶ程の柔らかいプラスチック類のみを使用しＪ１４、完全に素肌感覚で着用できる、以上のことを特徴とした靴下である。
【産業上の利用可能性】
【００２３】  本発明は、サンダル、ビーチサンダル、ヒール付きビーチサンダル、下駄、雪駄等を着用した場合、摩擦によりおこる指の付け根と足の甲のサンダルとの接触部分にかかる負担（痛み、靴擦れ、まめ）を最小限に抑え、且つ見た目も損なわず、むしろファッションとして取り入れられるよう柄、リボン、ホック、レース、ビーズ、又は刺繍を施し違和感なく着用できる。
【図面の簡単な説明】
【００２４】
【図１】実施の形態の説明に供し、サンダルとサンダル用靴下の全体図である。
【図２】実施の形態の説明に供し、ビーチサンダル用靴下を履いた状態での正面図である。
【図３】実施の形態の説明に供し、ビーチサンダル用靴下Ｊ１を履いた状態での足の甲部分と、親指と人差し指の間を拡大した状態で付け根部分の形の違うＵ字Ｌ１の場合である。
【図４】実施の形態の説明に供し、鼻緒根元部分を数字の６のように一周して更に布がややあまった部分に衣服などの用いる着脱自在の布製のテープ付けた場合Ｌ２である。
【図５】実施の形態の説明に供し、鼻緒根元部分をＵ字型に更にシリコンのような柔かいプラスチック類をつけた場合Ｌ３である。
【図６】実施の形態の説明に供し、鼻緒根元部分をＯ字型にしＬ４、先を一箇所裁断した場合の図である。
【図９】実施の形態の説明に供し、鼻緒が２本ずつ付け根から伸びている場合Ｊ４の図である。
【図１０】実施の形態の説明に供し、靴下の足裏側の形状で親指と人差し指の付け根部分から逆ホームベース形状として踵部分の布を省いたＧ１の図である。
【図１２】実施の形態の説明に供し、靴下の鼻緒表面鼻緒接触部分に滑り止めを施した場合の図である。
【図１４】実施の形態の説明に供し、図１、Ｋにあたる皮膚接触面に、滑り止めを施した図である。
【図２１】実施の形態の説明に供し、靴下の鼻緒片方に紐をつけたものをリボン結びにした場合の図である。
【図２２】実施の形態の説明に供し、靴下鼻緒の部分にレースをおき、その中心をミシンで縫いつけた図である。
【図２３】実施の形態の説明に供し、靴下の鼻緒全体に柄を施した図である。
【図２４】実施の形態の説明に供し、靴下の鼻緒の周りにビーズを施した図である。
【図２５】実施の形態の説明に供し、靴下の鼻緒全体に蛍光塗料を塗布した場合の図である。
【図２６】実施の形態の説明に供し、靴下の鼻緒部分に文字を刺繍した図である。
【図２７】実施の形態の説明に供し、靴下の生地の代用で透明のシリコンのような柔かいプラスチック類を使用した図である。
【符号の説明】
【００２５】Ａ：サンダルの鼻緒全体である。
Ｂ：サンダルの指の間付け根部分である。
Ｃ：サンダル鼻緒の足甲部分の上側である。
Ｄ：サンダル鼻緒の足甲部分の皮膚接触側（下側）である。
Ｅ：サンダル鼻緒の末端部分、底接触部分である。
Ｆ：靴下の底面皮膚接触側である。
Ｇ：靴下の底面サンダル接触側である。
Ｇ１：足裏部分の靴下の親指と人差し指の付け根部分から逆ホームベース形状として踵部分の布を省いた形状である。
Ｈ：靴下の底面と鼻緒末端の接触部分である。
Ｊ：靴下の鼻緒上面である。
Ｊ１：一般的なビーチサンダル型に合うよう作成された靴下の鼻緒上面である。
Ｊ４：親指と人差し指の付け根から鼻緒が両側に２本ずつ伸びている形状の靴下の鼻緒上面である。
Ｊ８：リボンを結んだ状態の靴下の鼻緒上面である。
Ｊ９：Ｊ１に靴下の鼻緒全部分に靴下が覆い隠れるようレースをおき、中心部分を縫いつけた靴下の鼻緒上面である。
Ｊ１０：Ｊ１に柄を施した靴下の鼻緒上面である。
Ｊ１１：Ｊ１にビーズの装飾を靴下の脇に沿ってつけた靴下の鼻緒上面である。
Ｊ１２：Ｊ１に蛍光塗料を靴下表面に塗布した靴下の鼻緒上面である。
Ｊ１３：Ｊ１表面に様々な文字を刺繍した靴下の鼻緒上面である。
Ｊ１４：Ｊ１に綿等の生地の替わりに透明のシリコンのような柔かいプラスチック類のみを使用した靴下の鼻緒上面である。
Ｋ：靴下の鼻緒下面皮膚接触部分である。
Ｋ１：Ｊ１の靴下の鼻緒下面皮膚接触部分に滑り止めを付けたものである。
Ｌ：靴下の鼻緒付け根Ｕ字部分である。
Ｌ１：Ｕ字型に形成された靴下の鼻緒付け根Ｕ字部分である。
Ｌ２：数字の６型に形成され重なる部分に衣類などに用いる着脱自在の布製のテープを付けた靴下の鼻緒付け根Ｕ字部分である。
Ｌ３：Ｕ字型に形成された靴下の内側に更にＵ字のシリコンのような耳たぶほどの柔かいプラスチック類をつけた靴下の鼻緒付け根Ｕ字部分である。
Ｌ４：靴の鼻緒全体を覆うようにＯ字型にした靴下の鼻緒付け根Ｕ字部分である。
Ｚ：サンダルの底である。
【手続補正３】
【補正対象書類名】図面
【補正対象項目名】図７  図８  図１１  図１３  図１５  図１６  図１７  図１８  図１９  図２０
【補正方法】削除
【補正の内容】
【手続補正書】
【提出日】平成18年9月7日(2006.9.7)
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】      本発明は、皮膚の弱い方、ヒールの高いビーチサンダルを靴擦れせず履きたい方、サンダル、ビーチサンダル、雪駄、下駄を履く際足があたり痛みもあるが見た目がきになるため素足で我慢する方に最も適合した靴下に関する技術分野である。
【背景技術】
【０００２】  女性において、足を長く、美しく見せる靴とは非常に魅力的なものである。その為以前からハイヒールのような見た目はよいが、機能性に欠ける靴の需要は現在でも極めて高い。しかし、足にとって無理な形状の物を履くのには多少の痛みや違和感が生じる。諸外国にビューティーイズペインという言葉があるように、美を追求するには何らかの犠牲を伴う場合が極めて多い。サンダルやビーチサンダルは踵が無い為容易に脱ぎ履きできるが、長い距離を歩くには不向きである。その理由にサンダル、ビーチサンダルの多くの鼻緒部分は硬いゴム、又は硬いひも状のもので作成されており皮膚との摩擦が生じた場合接触部に靴擦れが出来易い。更に、近年流行しているヒール付きのものにおいては前方にずれ易く親指と人差し指の付け根の負担と足の甲にあたる部分の摩擦が非常に大きい。その症状は平面的な従来のビーチサンダルより遥かに負担がかかるにも関わらず、現代人も履き易さより見た目重視思考が強く、履き難さと反比例するように売れている。足の甲部分のみを保護する滑り止め付きサポーター（例えば、特許文献１参照）や、足の指に沿った縫製を施してある靴下（例えば、特許文献２参照）、足の親指と人差し指の付けね部分に差し込み付け根を守るものも販売されているが、全ての箇所の痛みを補い且つ極力肌を露出し素足に見せる若しくは、履いていても不自然ではないものがない。ヌードソックス（例えば、特許文献３参照）は極力布を減らした構造だがサンダルを履いた場合は布の露出が大きい。痛みを避けるため絆創膏等を予め貼る方法も見受けるが、見た目が悪く更に汗に弱い。更に親指と人差し指の付け根を保護するのは非常に困難である。指の付け根と足の甲全体の両方を同時に且つ美しくカバーできるものが存在しない。【特許文献１】特開２００５−１０５５０４号公報
【特許文献２】特開２００２−２７００３号公報
【特許文献３】特開２００４−５３０８０４号公報
【発明の開示】
【発明が解決しようとする課題】
【０００３】  足の甲、又は親指と人差し指の付け根と鼻緒の接触部分の靴擦れ、まめを出来にくくし、摩擦で生じる痛みを軽減する。【０００４】  サンダルを履いた状態においての見た目を美しく見せる、又は素足の状態で履いているように見せる。【０００５】  靴を履いている状態で前方にずれにくくする。
【課題を解決するための手段】
【０００６】  鼻緒部を有する履物用の靴下であって、親指と人差し指の付け根部分を鼻緒に沿うＵ字型形状とし、履物の鼻緒が足に直接触れるのを防ぐように、足の甲側において靴下の生地が鼻緒と重なる形状とされ、該甲側の靴下の生地の両面又は片面に滑り止めを設け、足裏部分は親指と人差し指の付け根部分から逆ホームベース状として踵部分の布を省いた形状の靴下である、また、親指と人差し指の付け根部分の形状をＵ字型から長めに延長した部分を有する形状とし、該延長した部分を鼻緒に巻き付け鼻緒の付け根全体を覆うようにすることが好ましい、更に親指と人差し指の付け根部分においてＵ字型の生地の鼻緒側にＵ字型のプラスチックを設け、該プラスチックで鼻緒をはさめるようにしてもよい。【０００７】  サンダルの鼻緒部分の下から鼻緒の形に沿った形状とした靴下が見えた場合でも、見た目に違和感が無く、むしろ意図的に靴下を見せることによりお洒落とする為、甲側における生地の形状を、履物の鼻緒よりもはみだす部分を有する形状とし、甲側における靴下の生地全体又は上記はみだす部分の生地に、リボン、レース、ビーズ、蛍光塗料の塗布、刺繍、又は色柄を施すことにより装飾を施すと好ましい、更に甲側における靴下の生地部分を、透明なシリコンで形成し、素足に近い状態に見せることも好ましい。
【発明の効果】
【０００８】  素足で新しいサンダル、ヒールの高いビーチサンダル、又は鼻緒の固い物やゴム製のものを履くと直接肌に接触する部分に摩擦が起こり痛みを感じる、若しくはその部分に炎症を起こす場合があるが、直接鼻緒に接触する部分に靴下の生地をあてる事により、痛み、炎症を緩和、又は予防することが可能になる。【０００９】  鼻緒の下にあたる部分の靴下の柄等を色柄良くすることなどにより、鼻緒から多少見えた場合でもお洒落としてみなす事が可能である。
【発明の実施するための最良の形態】
【００１０】  発明の実施するための最良の形態を図面を参照して説明する。  図２において、一般的な靴下に用いられる生地を一般的なビーチサンダル型に合うよう甲側における靴下の生地をサンダル型形状にした、以上のことを特徴とする靴下である。
【００１１】  図３において、親指と人差し指の付け根の最も摩擦が起こり易い部分の靴下の布地部分を、サンダルの鼻緒に沿う形でＵ字型形状とし皮膚を保護した、又は図４において、親指と人差し指の付け根の最も摩擦が起こり易い部分の靴下の布地部分を数字の６のようにやや長めに裁断し、余った部分を鼻緒に巻きつけ、ずれないよう着脱自在の布製のテープ等を付け固定したＬ２、又は図５において、図３にさらにＵ字のシリコンのような柔らかいプラスチック類をつけＬ３、靴の鼻緒部分にはさめるようにした、又は図６において、靴の鼻緒全体を覆うようにＯ字型にしたＬ４、以上のことを特徴とした靴下である。
【００１２】  図７において、親指と人差し指の付け根から鼻緒が両側に２本ずつ伸びている形状Ｊ４のサンダルに合うよう裁断された、以上のことを特徴とした靴下である。
【００１３】  図８において、足裏部分は親指と人差し指の付け根部分から逆ホームベース形状として踵の部分の布を省いた形状とし、歩行中踵がサンダルから離れた状態においても、極力布が露出するのを防ぐ、以上のことを特徴とする靴下である。
【００１４】  図９においては、ビーチサンダル型のサンダル接触面Ｊ１において、サンダル側に靴下が密着し安定度を高めるため、表面に数箇所丸い滑り止めを施した、以上のことを特徴とする靴下である。
【００１５】  図１０においては、図１、２の靴下表面の裏側にあたる部分の皮膚接触面側Ｋ１で、表面同様安定度を高め靴下が肌からずれにくくするため数箇所滑り止めを施した、以上のことを特徴とする靴下である。
【００１６】  図１１において、甲側における靴下の生地をサンダル型形状にした物のどちらか片方、若しくは両方の適当な場所にリボンを縫いつけサンダルの鼻緒部分と固定できるようにし、且つお洒落に見えるようにした、以上のことを特徴とする靴下である。
【００１７】  図１２において、甲側における靴下の生地をサンダル型形状にした全部分に靴下が覆い隠れるようレースをおき、中心部分を縫いつけたＪ９、サンダルを履いた場合、鼻緒から靴下が見えた場合でもレースが靴下を覆い、レース面が露出するため見た目にも違和感が無く、お洒落を楽しめるデザインにした、以上のことを特徴とする靴下である。
【００１８】  図１３において、仮に靴下が鼻緒からずれて見えたとしても、靴下に女性が好む柄を施すことによってお洒落を楽しめる、以上のことを特徴とする靴下である。
【００１９】  図１４において、図１２同様、仮に靴下が鼻緒からずれて見えたとしても、ビーズの装飾を靴下の脇に沿ってつけることによりＪ１１、あえて靴下を見せることを目的としたお洒落を楽しめる、以上のことを特徴とする靴下である。
【００２０】  図１５において、鼻緒が透明のゴムで出来ているサンダル等を履いた場合、下の靴下が透けて見えるので、蛍光塗料を靴下表面に塗布することによりＪ１２、暗い場所でも光るようにした、以上のことを特徴とする靴下である。
【００２１】  図１６において、靴下の鼻緒部分に様々な文字を刺繍することによりＪ１３、靴下を履くことを楽しむ、以上のことを特徴とする靴下である。
【００２２】  図１７において、綿等の生地の代わりに透明のシリコンのような耳たぶ程の柔らかいプラスチック類のみを使用しＪ１４、完全に素肌感覚で着用できる、以上のことを特徴とした靴下である。
【産業上の利用可能性】
【００２３】  本発明は、サンダル、ビーチサンダル、ヒール付きビーチサンダル、下駄、雪駄等を着用した場合、摩擦によりおこる指の付け根と足の甲のサンダルとの接触部分にかかる負担（痛み、靴擦れ、まめ）を最小限に抑え、且つ見た目も損なわず、むしろファッションとして取り入れられるよう柄、リボン、ホック、レース、ビーズ、又は刺繍を施し違和感なく着用できる。
【図面の簡単な説明】
【００２４】
【図１】実施の形態の説明に供し、サンダルとサンダル用靴下の全体図である。
【図２】実施の形態の説明に供し、ビーチサンダル用靴下を履いた状態での正面図である。
【図３】実施の形態の説明に供し、ビーチサンダル用靴下Ｊ１を履いた状態での足の甲部分と、親指と人差し指の間を拡大した状態で付け根部分の形の違うＵ字Ｌ１の場合である。
【図４】実施の形態の説明に供し、鼻緒根元部分を数字の６のように一周して更に布がややあまった部分に衣服などの用いる着脱自在の布製のテープ付けた場合Ｌ２である。
【図５】実施の形態の説明に供し、鼻緒根元部分をＵ字型に更にシリコンのような柔かいプラスチック類をつけた場合Ｌ３である。
【図６】実施の形態の説明に供し、鼻緒根元部分をＯ字型にしＬ４、先を一箇所裁断した場合の図である。
【図７】実施の形態の説明に供し、鼻緒が２本ずつ付け根から伸びている場合Ｊ４の図である。
【図８】実施の形態の説明に供し、靴下の足裏側の形状で親指と人差し指の付け根部分から逆ホームベース形状として踵部分の布を省いたＧ１の図である。
【図９】実施の形態の説明に供し、靴下の鼻緒表面鼻緒接触部分に滑り止めを施した場合の図である。
【図１０】実施の形態の説明に供し、図１、Ｋにあたる皮膚接触面に、滑り止めを施した図である。
【図１１】実施の形態の説明に供し、靴下の鼻緒片方に紐をつけたものをリボン結びにした場合の図である。
【図１２】実施の形態の説明に供し、靴下鼻緒の部分にレースをおき、その中心をミシンで縫いつけた図である。
【図１３】実施の形態の説明に供し、靴下の鼻緒全体に柄を施した図である。
【図１４】実施の形態の説明に供し、靴下の鼻緒の周りにビーズを施した図である。
【図１５】実施の形態の説明に供し、靴下の鼻緒全体に蛍光塗料を塗布した場合の図である。
【図１６】実施の形態の説明に供し、靴下の鼻緒部分に文字を刺繍した図である。
【図１７】実施の形態の説明に供し、靴下の生地の代用で透明のシリコンのような柔かいプラスチック類を使用した図である。
【符号の説明】
【００２５】Ａ：サンダルの鼻緒全体である。            Ｂ：サンダルの指の間付け根部分である。Ｃ：サンダル鼻緒の足甲部分の上側である。Ｄ：サンダル鼻緒の足甲部分の皮膚接触側（下側）である。Ｅ：サンダル鼻緒の末端部分、底接触部分である。  Ｆ：靴下の底面皮膚接触側である。Ｇ：靴下の底面サンダル接触側である。Ｇ１：足裏部分の靴下の親指と人差し指の付け根部分から逆ホームベース形状として踵部分の布を省いた形状である。Ｈ：靴下の底面と鼻緒末端の接触部分である。Ｊ：靴下の鼻緒上面である。Ｊ１：一般的なビーチサンダル型に合うよう作成された靴下の鼻緒上面である。Ｊ４：親指と人差し指の付け根から鼻緒が両側に２本ずつ伸びている形状の靴下の鼻緒上面である。Ｊ８：リボンを結んだ状態の靴下の鼻緒上面である。Ｊ９：Ｊ１に靴下の鼻緒全部分に靴下が覆い隠れるようレースをおき、中心部分を縫いつけた靴下の鼻緒上面である。Ｊ１０：Ｊ１に柄を施した靴下の鼻緒上面である。Ｊ１１：Ｊ１にビーズの装飾を靴下の脇に沿ってつけた靴下の鼻緒上面である。Ｊ１２：Ｊ１に蛍光塗料を靴下表面に塗布した靴下の鼻緒上面である。Ｊ１３：Ｊ１表面に様々な文字を刺繍した靴下の鼻緒上面である。Ｊ１４：Ｊ１に綿等の生地の替わりに透明のシリコンのような柔かいプラスチック類のみを使用した靴下の鼻緒上面である。Ｋ：靴下の鼻緒下面皮膚接触部分である。Ｋ１：Ｊ１の靴下の鼻緒下面皮膚接触部分に滑り止めを付けたものである。Ｌ：靴下の鼻緒付け根Ｕ字部分である。Ｌ１：Ｕ字型に形成された靴下の鼻緒付け根Ｕ字部分である。Ｌ２：数字の６型に形成され重なる部分に衣類などに用いる着脱自在の布製のテープを付けた靴下の鼻緒付け根Ｕ字部分である。Ｌ３：Ｕ字型に形成された靴下の内側に更にＵ字のシリコンのような耳たぶほどの柔かいプラスチック類をつけた靴下の鼻緒付け根Ｕ字部分である。Ｌ４：靴の鼻緒全体を覆うようにＯ字型にした靴下の鼻緒付け根Ｕ字部分である。Ｚ：サンダルの底である。
【手続補正３】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
2007063733.tif 000030
【図２】
2007063733.tif 000031
【図３】
2007063733.tif 000032
【図４】
2007063733.tif 000033
【図５】
2007063733.tif 000034
【図６】
2007063733.tif 000035
【図７】
2007063733.tif 000036
【図８】
2007063733.tif 000037
【図９】
2007063733.tif 000038
【図１０】
2007063733.tif 000039
【図１１】
2007063733.tif 000040
【図１２】
2007063733.tif 000041
【図１３】
2007063733.tif 000042
【図１４】
2007063733.tif 000043
【図１５】
2007063733.tif 000044
【図１６】
2007063733.tif 000045
【図１７】
2007063733.tif 000046